(57)【特許請求の範囲】
【請求項１】
有色インク滴を媒体に噴出する有色インク噴出部と、オーバーコート用インク滴を前記媒体及び前記有色インク滴に重ねて噴出するオーバーコート用インク噴出部と、を備える画像記録装置であって、
前記オーバーコート用インク噴出部は、複数種類の大きさのオーバーコート用インク滴を噴出することが可能であり、
前記有色インク噴出部から噴出され、媒体上に形成可能な最大の有色インク滴よりも、前記オーバーコート用インク噴出部から噴出され、前記媒体上に形成可能な最大のオーバーコート用インク滴の方が大きく、
前記媒体上において前記有色インク滴による画像が形成されない領域には、複数種類の大きさの前記オーバーコート用インク滴のうち、前記最大のオーバーコート用インク滴が噴出され、
前記媒体上において前記有色インク滴による画像が形成される領域には、複数種類の大きさの前記オーバーコート用インク滴のうち、前記最大のオーバーコート用インク滴よりも小さいオーバーコート用インク滴が噴出される、ことを特徴とする画像記録装置。
【請求項２】
請求項１に記載の画像記録装置であって、
前記媒体上で前記有色インク滴による画像が形成される領域では、各画素に噴出される前記有色インクの噴出量を表すデータに基づいて、所定数の画素によって構成される単位領域毎に前記オーバーコート用インクの噴出量が決定される、ことを特徴とする画像記録装置。
【請求項３】
請求項１または２に記載の画像記録装置であって、
前記最大のオーバーコート用インク滴を形成する前記オーバーコート用インクの量は、前記最大の有色インク滴を形成する前記有色インクの量と、複数種類の大きさの前記オーバーコート用インク滴のうち最小のオーバーコート用インク滴を形成する前記オーバーコート用インクの量との和である、ことを特徴とする画像記録装置。
【請求項４】
請求項１〜３のいずれかに記載の画像記録装置であって、
前記有色インク滴によって形成される画像及び前記媒体の上に、前記オーバーコート用インク滴によってオーバーコート層を形成するときに、
１画素について１回前記オーバーコート用インク滴を噴出することによって、表面が平滑な前記オーバーコート層が形成されることを特徴とする画像記録装置。
【請求項５】
請求項１〜４のいずれかに記載の画像記録装置であって、
単位面積当たりに噴出される前記有色インク滴の量と、単位面積当たりに噴出される前記オーバーコート用インク滴の量との和が一定であることを特徴とする画像記録装置。
【請求項６】
請求項１〜５のいずれかに記載の画像記録装置であって、
前記有色インク噴出部から噴出可能な前記有色インク滴の大きさの種類よりも、
前記オーバーコート用インク噴出部から噴出可能な前記オーバーコート用インク滴の大きさの種類の方が、多いことを特徴とする画像記録装置。
【請求項７】
請求項１〜６のいずれかに記載の画像記録装置であって、
前記有色インク及び前記オーバーコート用インクは、光硬化樹脂及び光重合開始剤を含有し、光が照射されることによって硬化するインクであって、
前記有色インクに含有される前記光硬化樹脂と、前記オーバーコート用インクに含有される前記光硬化樹脂と、が同じ光硬化樹脂であり、
前記有色インクに含有される前記光重合開始剤と、前記オーバーコート用インクに含有される前記光重合開始剤と、が同じ光重合開始剤であることを特徴とする画像記録装置。
【請求項８】
請求項１〜７のいずれかに記載の画像記録装置であって、
前記有色インク滴に光を照射する光照射部を備え、
前記有色インク噴出部によって前記媒体上に前記有色インク滴が形成された後、
前記光照射部から光を照射することによって前記有色インク滴を硬化させ、
硬化された前記有色インク滴の上に、前記オーバーコート用インク噴出部によって前記オーバーコート用インク滴が噴出されることを特徴とする画像記録装置。
【請求項９】
請求項８に記載の画像記録装置であって、
前記有色インク滴を硬化させるために照射される光の出力は、
前記媒体上で流動しない程度に前記有色インク滴を硬化させるために照射される光の出力よりも大きく、
前記有色インク滴を完全に硬化させるために照射される光の出力よりも小さい、ことを特徴とする画像記録装置。
【請求項１０】
有色インク噴出部から有色インク滴を媒体に噴出することと、
複数種類の大きさのオーバーコート用インク滴を噴出することが可能なオーバーコート用インク噴出部からオーバーコート用インク滴を前記媒体及び前記有色インク滴に重ねて噴出することと、
前記有色インク噴出部から噴出され、媒体上に形成される最大の有色インク滴よりも、前記オーバーコート用インク噴出部から噴出され、前記媒体上に形成される最大のオーバーコート用インク滴の方が大きいことと、
前記媒体上において前記有色インク滴による画像が形成されない領域には、複数種類の大きさの前記オーバーコート用インク滴のうち、前記最大のオーバーコート用インク滴が噴出されることと、
前記媒体上において前記有色インク滴による画像が形成される領域には、複数種類の大きさの前記オーバーコート用インク滴のうち、前記最大のオーバーコート用インク滴よりも小さいオーバーコート用インク滴が噴出されることと、
を有する画像記録方法。
【発明の詳細な説明】
【技術分野】
【０００１】
本発明は、画像記録装置、及び、画像記録方法に関する。
【背景技術】
【０００２】
ノズルから液体（例えばインク）を噴出して媒体上に液滴（インクドット）を着弾させることで画像の記録を行う画像記録装置が知られている。このような画像記録装置で、一般的なカラーインク（例えばＫＣＭＹの各色インク）を用いて画像を記録した後に、オーバーコート用のインク（例えば透明インク）を用いて画像の上にオーバーコート面を形成させることにより、画像に光沢を持たせる記録方法が知られている。
【０００３】
画像をオーバーコートする際には、オーバーコート面の表面が平滑であるほど、均一な光沢が得やすい。しかし、オーバーコートを行う前の画像では、単位面積当たりに形成されるカラーインクドットの数や大きさが違うため、画像表面に凹凸を有する場合が多い。そのため、該画像表面上に平滑なオーバーコート面を形成させることは難しかった。そこで、単位面積当たりに噴出されるカラーインク量の大小に応じて、オーバーコート用インクの噴出量を調整することによって、平滑なオーバーコート面を形成する記録方法が提案されている（例えば特許文献１）。
【先行技術文献】
【特許文献】
【０００４】
【特許文献１】特開２００５−１９９６０２号公報
【発明の概要】
【発明が解決しようとする課題】
【０００５】
特許文献１の方法によれば、平滑なオーバーコート面によって、均一な光沢を有する画像を形成することができる。しかし、画像によっては表面の凹凸が大きくなる場合がある。例えば、大サイズのカラーインクインクドットが形成されている画素と、カラーインクドットが形成されていない画素とが隣接するような画像では、その隣接する画素間で媒体表面から画像表面までの高さが大きく異なる。そのような画像では、オーバーコート用インクの噴出量を調整したとしても凹凸を十分に埋めることができず、１回のオーバーコートで平滑なオーバーコート面を形成することは困難である。その場合、複数回のオーバーコート作業を行う必要が生じ、記録速度が遅くなるという問題があった。
【０００６】
本発明では、記録速度を落とすことなく、平滑なオーバーコート面を有する画像の記録を行うことを目的としている。
【課題を解決するための手段】
【０００７】
上記目的を達成するための主たる発明は、有色インク滴を媒体に噴出する有色インク噴出部と、オーバーコート用インク滴を前記媒体及び前記有色インク滴に重ねて噴出するオーバーコート用インク噴出部と、を備える画像記録装置であって、前記オーバーコート用インク噴出部は、複数種類の大きさのオーバーコート用インク滴を噴出することが可能であり、前記有色インク噴出部から噴出され、媒体上に形成可能な最大の有色インク滴よりも、前記オーバーコート用インク噴出部から噴出され、前記媒体上に形成可能な最大のオーバーコート用インク滴の方が大きく、前記媒体上において前記有色インク滴による画像が形成されない領域には、複数種類の大きさの前記オーバーコート用インク滴のうち、前記最大のオーバーコート用インク滴が噴出され、前記媒体上において前記有色インク滴による画像が形成される領域には、複数種類の大きさの前記オーバーコート用インク滴のうち、前記最大のオーバーコート用インク滴よりも小さいオーバーコート用インク滴が噴出される、ことを特徴とする画像記録装置である。
【０００８】
本発明の他の特徴については、本明細書及び添付図面の記載により明らかにする。
【図面の簡単な説明】
【０００９】
【図１】第１実施形態の記録システムの全体構成を示すブロック図である。
【図２】図２Ａは、プリンター１の構成を説明する図である。図２Ｂは、プリンター１の構成を説明する側面図である。
【図３】ヘッドの構造を説明するための断面図である。
【図４】カラーインクヘッド３１の下面に設けられたノズルＮｚの説明図である。
【図５】クリアインクヘッド３５の下面に設けられたノズルＮｚの説明図である。
【図６】オーバーコート層を概念的に説明する断面図である。
【図７】第１実施形態における画像記録処理のフローを示す図である。
【図８】カラーインクドットによって形成される画像の断面を概念的に表した図である。
【図９】カラーインクの噴出に用いられる駆動信号ＣＯＭの一例を示す図である。
【図１０】図８の画像の上にクリアインクドットによって形成されるオーバーコート層の断面を概念的に表した図である。
【図１１】クリアの特大ドットが形成される場合のオーバーコート層の断面を概念的に表した図である。
【図１２】クリアインクの噴出に用いられる駆動信号ＣＯＭの一例を示す図である。
【図１３】クリアインクの噴出量を算出する方法を説明する図である。
【図１４】クリアインクの噴出量の分配方法を説明する図である。
【図１５】第２実施形態の記録システムの全体構造を示すブロック図である。
【図１６】プリンター２の構成を概略的に表した側面図である。
【図１７】プリンター２の各ヘッドの下面に設けられたノズルの配置を説明する図である。
【発明を実施するための形態】
【００１０】
本明細書及び添付図面の記載により、少なくとも、以下の事項が明らかとなる。
【００１１】
有色インク滴を媒体に噴出する有色インク噴出部と、オーバーコート用インク滴を前記媒体及び前記有色インク滴に重ねて噴出するオーバーコート用インク噴出部と、を備える画像記録装置であって、前記有色インク噴出部から噴出され、媒体上に形成可能な最大の有色インク滴よりも、前記オーバーコート用インク噴出部から噴出され、前記有色インク滴に重ねて形成可能な最大のオーバーコート用インク滴の方が大きいことを特徴とする画像記録装置。  
このような画像記録装置によれば、記録速度を落とすことなく、平滑なオーバーコート面を有する画像の記録を行うことができる。
【００１２】
かかる画像記録装置であって、前記カラーインク滴によって形成される画像及び前記媒体の上に、前記オーバーコート用インク滴によってオーバーコート層を形成するときに、１画素について１回前記オーバーコート用インク滴を噴出することによって、表面が平滑な前記オーバーコート層が形成されることが望ましい。  
このような画像記録装置によれば、オーバーコート層の形成動作を複数回繰り返すことなく、１回で表面が平滑なオーバーコート面を形成することができるため、全体の記録速度をより早くすることができる。
【００１３】
かかる画像記録装置であって、単位面積当たりに噴出される前記有色インク滴の量と、単位面積当たりに噴出される前記オーバーコート用インク滴の量との和が一定であることが望ましい。  
このような画像記録装置によれば、媒体の所定領域毎にカラードットとクリアドットとの合計噴出量が等しくなるので、当該所定領域毎に画像とオーバーコート層との合計の高さ（厚さ）を揃えやすくなる。
【００１４】
かかる画像記録装置であって、前記有色インク噴出部から噴出可能な前記有色インク滴の大きさの種類よりも、前記オーバーコート用インク噴出部から噴出可能な前記オーバーコート用インク滴の大きさの種類の方が、多いことが望ましい。  
このような画像記録装置によれば、クリアインクドットを重ねるべきカラーインクドットの大きさに合わせて、最適な大きさのクリアインクドットを選択することができるため、画像とオーバーコート層との合計の高さの調整がしやすくなる。
【００１５】
かかる画像記録装置であって、前記有色インク及び前記オーバーコート用インクは、光硬化樹脂及び光重合開始剤を含有し、光が照射されることによって硬化するインクであって、前記有色インクに含有される前記光硬化樹脂及び前記光重合開始剤と、前記オーバーコート用インクに含有される前記光硬化樹脂及び前記光重合開始剤と、が同じ光重合開始剤であることが望ましい。  
このような画像記録装置によれば、カラーインクドットとクリアインクドットとの硬化特性が同じになるため、それぞれのドットの大きさのばらつき等も少なくなり、画像とオーバーコート層との合計の高さ（厚さ）を揃えやすくなる。
【００１６】
かかる画像記録装置であって、前記有色インク滴に光を照射する光照射部を備え、前記有色インク噴出部によって前記媒体上に前記有色インク滴が形成された後、前記光照射部から光を照射することによって前記有色インク滴を硬化させ、硬化された前記有色インク滴の上に、前記オーバーコート用インク噴出部によって前記オーバーコート用インク滴が噴出されることが望ましい。  
このような画像記録装置によれば、先に形成されたカラーインクドットを硬化させておくことで、その上にクリアインクドットを形成しても、カラーインクドットとクリアインクドットとが混合されるのを抑制することができるので、高画質な画像を記録できる。
【００１７】
かかる画像記録装置であって、前記有色インク滴を硬化させるために照射される光の出力は、前記媒体上で流動しない程度に前記有色インク滴を硬化させるために照射される光の出力よりも大きく、前記有色インク滴を完全に硬化させるために照射される光の出力よりも小さい、ことが望ましい。  
このような画像記録装置によれば、クリアインクドットと混合せず、かつ、クリアインインクドットが弾かれて着弾位置がずれることもない程度にカラーインクドットを硬化させることによって、より高画質な画像の記録を行うことができる。
【００１８】
また、有色インク噴出部から有色インク滴を媒体に噴出することと、オーバーコート用インク噴出部からオーバーコート用インク滴を前記媒体及び前記有色インク滴に重ねて噴出することと、前記有色インク噴出部から噴出され、媒体上に形成される最大の有色インク滴よりも、前記オーバーコート用インク噴出部から噴出され、前記有色インク滴に重ねて形成される最大のオーバーコート用インク滴の方が大きいことと、を有する画像記録方法が明らかとなる。
【００１９】
＝＝＝第１実施形態＝＝＝
＜画像記録装置の基本的構成＞
発明を実施するための画像記録装置の形態として、インクジェットプリンター（プリンター１）を例に挙げて説明する。プリンター１は、紙等の媒体に向けてインクを噴出することによりインクドットを形成して、媒体に画像を記録するカラーインクジェットプリンターである。ここで、記録に使用するインクとしては、紫外線（以下、ＵＶともいう）を照射することによって硬化する紫外線硬化型インク（以下、ＵＶインクともいう）を使用することが可能である。本明細書では、ＵＶインクを使用して記録を行う例について説明する。
【００２０】
ＵＶインクは、紫外線硬化樹脂を含むインクであり、ＵＶの照射を受けると紫外線硬化樹脂において光重合反応が起こることにより硬化する。なお、本実施形態のプリンター１は、４色のカラー（有色）インク（ＫＣＭＹ）と、該カラーインクによって記録される画像の表面をコーティング（オーバーコート）するためのクリアインク（ＣＬ）とを用いて記録を行う。使用するインクの詳細については後述する。
【００２１】
＜プリンターの構成＞
図１は、プリンター１の全体構成を示すブロック図である。  
プリンター１は外部制御装置であるコンピューター１１０と通信可能に接続されている。コンピューター１１０にはプリンタードライバーがインストールされている。プリンタードライバーは、コンピューター１１０の表示装置にユーザーインターフェイスを表示させ、アプリケーションプログラムから出力された画像データを記録データに変換させるためのプログラムである。このプリンタードライバーは、フレキシブルディスクＦＤやＣＤ−ＲＯＭなどの記録媒体（コンピューターが読み取り可能な記録媒体）に記録されている。また、プリンタードライバーはインターネットを介してコンピューター１１０にダウンロードすることも可能である。なお、このプログラムは、各種の機能を実現するためのコードから構成されている。
【００２２】
コンピューター１１０はプリンター１に画像を記録させるため、記録させる画像に応じて画像データから変換した記録データをプリンター１へ送信する。記録データは、プリンター１が解釈できる形式のデータであって、各種のコマンドデータと、画素データとを有する。コマンドデータとは、プリンター１に特定の動作の実行を指示するためのデータである。このコマンドデータには、例えば、給紙を指示するコマンドデータ、搬送量を示すコマンドデータ、排紙を指示するコマンドデータがある。また、画素データは、記録される画像の画素に関するデータである。
【００２３】
ここで、画素とは画像を構成する単位要素であり、この画素が２次元的に並ぶことにより画像が構成される。記録データにおける画素データは、媒体（例えば紙Ｓなど）上に形成されるドットに関するデータ（例えば、階調値）である。画素データは画素毎に２ビットのデータによって構成される。この２ビットの画素データは１つの画素を４階調で表現できる。
【００２４】
プリンター１は、搬送ユニット１０と、キャリッジユニット２０と、ヘッドユニット３０と、照射ユニット４０と、検出器群５０と、コントローラー６０と、を有する。コントローラー６０は、外部装置であるコンピューター１１０から受信した印刷データに基づいて搬送ユニット１０やキャリッジユニット２０等の各ユニットを制御し、媒体に画像を印刷する。プリンター１内の状況は検出器群５０によって監視されており、検出器群５０は検出結果をコントローラー６０に出力する。コントローラー６０は検出器群５０から出力された検出結果に基づいて各ユニットを制御する。
【００２５】
＜搬送ユニット１０＞
図２Ａは本実施形態のプリンター１の構成を表した鳥瞰図であり、図２Ｂはプリンター１の構成を表した側面図である。なお、図２Ａではプリンター１の構成が分かりやすいように、キャリッジ２５や本硬化用照射部４３等、一部の機器を省略して示している。
【００２６】
搬送ユニット１０は、媒体（例えば紙Ｓなど）を所定の方向（以下、搬送方向という）に搬送させるためのものである。ここで、搬送方向はキャリッジの移動方向と交差する方向である。搬送ユニット１０は、給紙ローラー１１と、搬送モーター１２と、搬送ローラー１３と、プラテン１４と、排紙ローラー１５とを有する（図２Ａ及び図２Ｂ）。
【００２７】
給紙ローラー１１は、紙挿入口に挿入された紙Ｓをプリンター内に給紙するためのローラーである。搬送ローラー１３は、給紙ローラー１１によって給紙された紙Ｓを記録可能な領域まで搬送するローラーであり、搬送モーター１２によって駆動される。搬送モーター１２の動作はプリンター側のコントローラー６０により制御される。プラテン１４は、記録中の紙Ｓを、紙Ｓの裏側から支持する部材である。排紙ローラー１５は、紙Ｓをプリンターの外部に排出するローラーであり、記録可能な領域に対して搬送方向下流側に設けられている。
【００２８】
＜キャリッジユニット２０＞
キャリッジユニット２０は、ヘッドユニット３０が取り付けられたキャリッジを所定の方向（以下、移動方向という）に移動（「走査」とも呼ばれる）させるためのものである。キャリッジユニット２０は、カラーインクヘッド用キャリッジ２１（以下、キャリッジ２１ともいう）と、キャリッジモーター２２と、クリアインクヘッド用キャリッジ２５（以下、キャリッジ２５ともいう）と、キャリッジモーター２６と、を有する。キャリッジ２５はキャリッジ２１よりも搬送方向下流側に設けられる（図２Ａ及び図２Ｂ）。
【００２９】
キャリッジ２１及びキャリッジ２５は、それぞれ移動方向に往復移動可能であり、それぞれキャリッジモーター２２及びキャリッジモーター２６によって駆動される。キャリッジモーター２２及び２６の動作はプリンター側のコントローラー６０により制御される。通常の場合、クリアインクヘッド用キャリッジ２５の動作は、カラーインクヘッド用キャリッジ２１の動作に同期するように制御される。また、キャリッジ２１及び２５は、インクを収容するインクカートリッジをそれぞれ着脱可能に保持している。
【００３０】
＜ヘッドユニット３０＞
ヘッドユニット３０は、紙Ｓにインクを噴出するためのものである。ヘッドユニット３０は、カラーインクを噴出する複数のノズルを有するカラーインクヘッド３１（以下、ヘッド３１ともいう）と、クリアインクを噴出する複数のノズルを有するクリアインクヘッド３５（以下、ヘッド３５ともいう）と、ヘッド制御部ＨＣとを備える。本実施形態では、カラーインクによって画像を記録してから、その上に重ねてクリアインクを噴出することで画像をオーバーコートするオーバーコート層を形成する。そのため、クリアインクヘッド３５はカラーインクヘッド３１よりも搬送方向の下流側に配置される（図２Ｂ参照）。
【００３１】
カラーインクヘッド３１はカラーインクヘッド用キャリッジ２１に設けられ、キャリッジ２１が移動方向に移動すると、ヘッド３１も移動方向に移動する。そして、ヘッド３１が移動方向に移動中にカラーインクを断続的に噴出することによって、移動方向に沿ったドットライン（ラスタライン）が紙に形成される。このカラーインクによるドットラインが搬送方向に集合することで画像が形成される。
【００３２】
同様に、クリアインクヘッド３５はクリアインクヘッド用キャリッジ２５に設けられ、キャリッジ２５が移動方向に移動すると、ヘッド３５も移動方向に移動する。そして、ヘッド３５が移動方向に移動中にクリアインクを断続的に噴出することによって、移動方向に沿ったドットライン（ラスタライン）が前述の画像の上に形成される。このクリアインクによるドットラインによってオーバーコート層が形成される。
【００３３】
図３は、カラーインクヘッド３１の構造を示した断面図である。カラーインクヘッド３１は、ケース３１１と、流路ユニット３１２と、ピエゾ素子群ＰＺＴとを有する。ケース３１１はピエゾ素子群ＰＺＴを収納し、ケース３１１の下面に流路ユニット３１２が接合されている。流路ユニット３１２は、流路形成板３１２aと、弾性板３１２ｂと、ノズルプレート３１２ｃとを有する。流路形成板３１２aには、圧力室３１２ｄとなる溝部、ノズル連通口３１２eとなる貫通口、共通インク室３１２ｆとなる貫通口、インク供給路３１２ｇとなる溝部が形成されている。弾性板３１２ｂはピエゾ素子ＰＺＴの先端が接合されるアイランド部３１２ｈを有する。そして、アイランド部３１２ｈの周囲には弾性膜３１２ｉによる弾性領域が形成されている。インクカートリッジに貯留されたインクが、共通インク室３１２ｆを介して、各ノズルＮｚに対応した圧力室３１２ｄに供給される。ノズルプレート３１２ｃはノズルＮｚが形成されたプレートである。
【００３４】
ピエゾ素子群ＰＺＴは、櫛歯状の複数のピエゾ素子（駆動素子）を有し、ノズルＮｚに対応する数分だけ設けられている。ヘッド制御部ＨＣなどが実装された配線基板（不図示）によって、ピエゾ素子に駆動信号ＣＯＭが印加されると、駆動信号ＣＯＭの電位に応じてピエゾ素子は上下方向に伸縮する。ピエゾ素子ＰＺＴが伸縮すると、アイランド部３１２ｈは圧力室３１２ｄ側に押されたり、反対方向に引かれたりする。このとき、アイランド部３１２ｈ周辺の弾性膜３１２ｉが変形し、圧力室３１２ｄ内の圧力が上昇・下降することにより、ノズルからインク滴が噴出される。  
なお、クリアインクヘッド３５の構造も同様である。
【００３５】
図４は、カラーインクヘッド３１の下面に設けられたノズルＮｚの配置を説明する図である。カラーインクヘッド３１では、イエローインクを噴出するイエローノズル列Ｙと、マゼンタインクを噴出するマゼンタノズル列Ｍと、シアンインクを噴出するシアンノズル列Ｃと、ブラックインクを噴出するブラックノズル列Ｋとからなるカラーインクノズル列が移動方向に並列に並んでいる。ＫＣＭＹの各色ノズル列は、それぞれ２列ずつのノズル列から構成されている。１列のノズル列はインクを噴出するための噴出口であるノズルＮｚを１８０個ずつ有し、それぞれのノズルＮｚは搬送方向に所定間隔Ｄにて並んでいる。図４に示すように、各ノズルＮｚには＃１〜＃１８０の番号が付される。また、隣り合うノズル列間ではノズルＮｚが搬送方向にＤ／２ずつズレた位置に配置されている。なお、各ノズル列における実際のノズル数は１８０個には限られず、例えばノズル数が９０個であったり３６０個であったりしてもよい。  
キャリッジ２１にはこのようなヘッド３１が千鳥状に２個配置されている。
【００３６】
図５は、クリアインクヘッド３５の下面に設けられたノズルＮｚの配置を説明する図である。クリアインクヘッド３５は、クリアインクを噴出するクリアインクノズル列ＣＬを備えている。クリアインクノズル列ＣＬは２列のノズル列から構成される。１列のノズル列はインクを噴出するための噴出口であるノズルＮｚを１８０個ずつ有し、それぞれのノズルＮｚは搬送方向に所定間隔Ｄにて並んでいる。図５に示すように、各ノズルＮｚには＃１〜＃１８０の番号が付される。また、隣り合うノズル列間ではノズルＮｚが搬送方向にＤ／２ずつズレた位置に配置されている。  
キャリッジ２５にはこのようなヘッド３５が千鳥状に２個配置されている。
【００３７】
＜照射ユニット４０＞
照射ユニット４０は、媒体に着弾したＵＶインクドットに向けてＵＶを照射するものである。媒体上に形成されたインクドットは、照射ユニット４０からのＵＶの照射を受けることにより硬化する。本実施形態の照射ユニット４０は、仮硬化用照射部４１ａ、４１ｂ、４１ｃ、４１ｄと、仮本硬化用照射部４２と、本硬化用照射部４３とを備えている。
【００３８】
仮硬化用照射部４１ａ及び４１ｂは、カラーインクヘッド用キャリッジ２１の移動方向の両側に備えられ、カラーインクノズル列ＫＣＭＹを挟むように配置されている（図４参照）。これにより、カラーインクヘッド用キャリッジ２１が、一端側から他端側へ、または、他端側から一端側へのいずれの方向に移動しつつ噴出したインクであっても、ＵＶを照射することができるように構成されている。同様に、仮硬化用照射部４１ｃ及び４１ｄは、クリアインクヘッド用キャリッジ２５の移動方向の両側に備えられ、クリアインクノズル列ＣＬを挟むように配置されている（図５参照）。
【００３９】
仮硬化用照射部４１ａ〜４１ｄは、それぞれ媒体に向けてＵＶを照射するための光源を備えている。本実施形態では、仮硬化用照射部４１ａ〜４１ｄの光源として発光ダイオード（ＬＥＤ：Light Emitting Diode）を用いている。ＬＥＤは入力電流の大きさを制御することによって、照射エネルギーを容易に変更することが可能である。なお、仮硬化用照射部４１ａ〜４１ｄの光源は、それぞれ仮硬化用照射部４１ａ〜４１ｄ内に収容されることによりヘッド３１及びヘッド３５から隔離されている。これにより、光源から照射されるＵＶがヘッド３１及びヘッド３５の下面へ漏れるのを防ぎ、以って、当該下面に形成された各ノズルの開口付近でＵＶインクが硬化すること(ノズルの目詰まり)を防止している。
【００４０】
仮本硬化用照射部４２は、カラーインクヘッド３１よりも搬送方向下流側で、クリアインクヘッド３５よりも搬送方向上流側に配置される（図２Ｂ参照）。仮本硬化用照射部４２は、印刷対象となる媒体の幅よりも長く形成されており、移動することなく媒体に向けてＵＶを照射して、カラーインクヘッド３１によって形成された画像の仮本硬化を行う。  
仮本硬化用照射部４２も光源として発光ダイオードを用いている。
【００４１】
本硬化用照射部４３は、クリアインクヘッド３５よりも搬送方向下流側に配置される（図２Ｂ参照）。本硬化用照射部４３は、印刷対象となる媒体の幅よりも長く形成されており、移動することなく媒体に向けてＵＶを照射する。これにより、カラーインクヘッド３１によって形成された画像、及びクリアインクヘッド３５によって形成されたオーバーコート層の本硬化を行う。  
本硬化用照射部４３の光源としては、ランプ（メタルハライドランプ、水銀ランプなど）が用いられる。ＵＶインクドットを本硬化させるためには、照射エネルギーの大きな光源が必要だからである。
【００４２】
なお、仮硬化、仮本硬化、本硬化の詳細については後で説明する。
【００４３】
＜検出器群５０＞
検出器群５０は、プリンター１の状況を監視するためのものである。検出器群５０には、リニア式エンコーダ５１、ロータリー式エンコーダ５２、紙検出センサ５３、及び光学センサ５４等が含まれる（図２Ａ及び図２Ｂ）。
【００４４】
リニア式エンコーダ５１は、キャリッジ２１（及びキャリッジ２５）の移動方向の位置を検出する。ロータリー式エンコーダ５２は、搬送ローラー１３の回転量を検出する。紙検出センサ５３は、給紙中の紙Ｓの先端の位置を検出する。光学センサ５４は、キャリッジ２１（及びキャリッジ２５）に取付けられている発光部と受光部により、対向する位置の紙Ｓの有無を検出し、例えば、移動しながら紙の端部の位置を検出し、紙の幅を検出することができる。また、光学センサ５４は、状況に応じて、紙Ｓの先端（搬送方向下流側の端部であり、上端ともいう）・後端（搬送方向上流側の端部であり、下端ともいう）も検出できる。
【００４５】
＜コントローラー６０＞
コントローラー６０は、プリンターの制御を行うための制御ユニット（制御部）である。コントローラー６０は、インターフェイス部６１と、ＣＰＵ６２と、メモリー６３と、ユニット制御回路６４とを有する（図１）。
【００４６】
インターフェイス部６１は、外部装置であるコンピューター１１０とプリンター１との間でデータの送受信を行う。ＣＰＵ６２は、プリンター１の全体の制御を行うための演算処理装置である。メモリー６３は、ＣＰＵ６２のプログラムを格納する領域や作業領域等を確保するためのものであり、ＲＡＭ、ＥＥＰＲＯＭ等の記憶素子によって構成される。そして、ＣＰＵ６２は、メモリー６３に格納されているプログラムに従って、ユニット制御回路６４を介して搬送ユニット１０等の各ユニットを制御する。
【００４７】
＜プリンターの基本的な記録動作＞
プリンター１の記録動作について簡単に説明する。コントローラー６０は、コンピューター１１０からインターフェイス部６１を介して記録命令を受信し、各ユニットを制御することにより、給紙処理・ドット形成処理・搬送処理等を行う。
【００４８】
給紙処理は、記録すべき媒体をプリンター内に供給し、記録開始位置（頭出し位置とも言う）に媒体を位置決めする処理である。コントローラー６０は、給紙ローラー１１を回転させ、記録すべき媒体を搬送ローラー１３まで送る。続いて、搬送ローラー１３を回転させ、給紙ローラー１１から送られてきた媒体を記録開始位置に位置決めする。
【００４９】
ドット形成処理は、移動方向（走査方向）に沿って移動するヘッドからＵＶインクを断続的に噴出させ、媒体上にドットを形成する処理である。コントローラー６０は、キャリッジ２１を移動方向に移動させ、キャリッジ２１が移動している間に、印刷データに基づいてヘッド３１からカラーインク（ＫＣＭＹ）を噴出させる。噴出されたインク滴が媒体上に着弾すると、媒体上にドットが形成され、媒体上には移動方向に沿った複数のドットからなるドットラインが形成される。なお、形成されたドットは照射ユニット４０からＵＶの照射を受けることによって硬化される。ＵＶインクドットの硬化の詳細は後で説明する。
【００５０】
搬送処理は、媒体を搬送方向に沿って、ヘッドに対して相対的に移動させる処理である。コントローラー６０は、搬送ローラー１３を回転させて媒体を搬送方向に搬送する。この搬送処理により、ヘッド３１は、先ほどのドット形成処理によって形成されたドットの位置とは異なる位置にドットを形成することが可能になる。  
コントローラー６０は、印刷すべきデータがなくなるまで、ドット形成処理と搬送処理とを交互に繰り返し、ドットラインにより構成される画像を徐々に媒体に記録する。
【００５１】
画像が記録された媒体は、さらに搬送方向の下流側へと搬送され、ヘッド３１よりも搬送方向下流側に設置されたヘッド３５からクリアインク（ＣＬ）が噴出される。これにより、媒体及び形成された画像の上にクリアインクドットからなるオーバーコート層が形成される。図６に、オーバーコート層を概念的に説明する断面図を示す。図のように、画像が形成された部分を含む媒体全体にクリアインク（ＣＬ）を噴出し、クリアインクドットで覆うことによってオーバーコート層が形成される。オーバーコート層の表面で光が反射されるため、画像は光沢を有するようになる。
【００５２】
コントローラー６０は、印刷すべきデータがなくなると、排紙ローラーを回転させてその媒体を排紙する。なお、排紙を行うか否かの判断は、印刷データに含まれる排紙コマンドに基づいても良い。次の印刷を行う場合は同処理を繰り返し、行わない場合は、印刷動作を終了する。
【００５３】
＝＝＝ＵＶインクの硬化について＝＝＝
本実施形態では、媒体に着弾したＵＶインクにＵＶを照射することでドットを硬化させている。プリンター１では、仮硬化用照射部４１ａ〜４１ｄと、仮本硬化用照射部４２と、本硬化用照射部４３とを用いて、３段階の硬化を行なっている。
【００５４】
＜仮硬化・仮本硬化・本硬化の説明＞
仮硬化は、媒体に着弾したＵＶインクの流動（ドットの広がり）を抑えるためにドットの表面部分を硬化するものである。
【００５５】
前述のように、仮硬化用照射部４１ａ及び４１ｂはキャリッジ２１の移動方向両端に搭載されており、キャリッジ２１の移動に伴ってヘッド３１と一体的に移動方向に移動する。すなわち、ヘッド３１に備えられた各色のノズル列が往復移動する際、仮硬化用照射部４１ａ及び４１ｂは各色ノズル列に対する相対位置を維持しながら往復移動する。そして、往復移動を行いながら仮硬化用照射部４１ａ及び４１ｂから媒体に向けてＵＶが照射される。具体的には、往動の期間には仮硬化用照射部４１ａからＵＶが照射され、復動の期間には仮硬化用照射部４１ｂからＵＶが照射される。このように仮硬化は、ドットを形成するのと同じパスにおいて行なわれる。これにより、媒体上に形成されたカラーインクドットの流動を抑制して、ドット位置がずれたり、他色のドットと混合して滲んだりすることを防止する。
【００５６】
また、仮硬化用照射部４１ｃ及び４１ｄはキャリッジ２５の移動方向両端に搭載されており、仮硬化用照射部４１ａ及び４１ｂと同様の機能を有する。仮硬化用照射部４１ｃ及び４１ｄは、画像の上に形成されたクリアインクドットを仮硬化させ、該クリアインクドットの流動等を抑制してオーバーコート層を形成する（図６）。
【００５７】
仮本硬化は、カラーインクドットによって形成された画像の上にクリアインクドットを噴出して画像をオーバーコートする際に、カラーインクドットとクリアインクドットとの間で滲みや混色が生じないように、カラーインクドットを所定の固さに硬化させておくためのものである。ここで、カラーインクドットを硬化しすぎると、その上に噴出されるクリアインクドットをはじいてしまうため、適度な強度でＵＶを照射しなければならない。したがって、仮本硬化において照射されるＵＶは、仮硬化用において照射されるＵＶよりも出力（エネルギー）が大きく、本硬化用において照射されるＵＶよりも出力（エネルギー）が小さいものである必要がある。  
上流側でカラーインクドットによって画像が形成された媒体が、仮本硬化用照射部４２の下まで搬送されると、仮本硬化用照射部４２によるＵＶの照射を受け、カラーインクドット全体が仮本硬化される。
【００５８】
本硬化は、カラーインクドット及びクリアインクドットを完全に硬化させ、形成された画像及びオーバーコート層を安定させるためのものである。したがって、本硬化において照射されるＵＶは、仮硬化や仮本硬化において照射されるＵＶよりも大きなエネルギーを有する。  
上流側で画像及びオーバーコート層が形成された媒体が、本硬化用照射部４３の下まで搬送されると、本硬化用照射部４３によるＵＶの照射を受け、形成されている全てのカラーインクドット及びクリアインクドットが完全に硬化される。
【００５９】
＜ＵＶインクの組成＞
本実施形態で使用されるＵＶインクは、紫外線硬化樹脂や光重合開始剤によって構成される。紫外線硬化樹脂としては、アクリルアミドやフェイキシエチルアクリレート等のモノマー、及び、ウレタンアクリレートやエポキシアクリレート等のオリゴマーを使用することができる。また、光重合開始剤としては、ベンゾインメチルエーテル、ベンゾフェノン、ポリ塩化ポリフェニル等を使用することができる。ＵＶインクに紫外線や電子線等を照射すると、光重合開始剤においてラジカル（活性種）が生成される。このラジカルがモノマーやオリゴマーの反応基と反応することでラジカル重合が開始され、瞬時に硬化が始まる。
【００６０】
ＵＶインクの組成は、紫外線を照射した際の当該ＵＶインクの光硬化性（例えば硬化速度や硬化時の変形等）に大きな影響を与える。そのため、本実施形態で使用されるＵＶインクのうち、カラーインク（ＫＣＭＹ）とクリアインク（ＣＬ）との組成はなるべく同じであることが望ましい。後述するように、本実施形態では形成されるクリアインクドットの大きさをカラーインクドットの大きさに合わせて調整することによって、オーバーコート層の表面を平滑にして均一な光沢を有する画像を形成している。そのため、同じ組成のインクを使用することによって、カラーインクドットの硬化性とクリアインクドットの硬化性とが同等となれば、ドットサイズを調整しやすくなる。
【００６１】
＝＝＝プリンタードライバーによる画像の記録処理＝＝＝
図７に、本実施形態でプリンタードライバーが行う画像の記録処理のフロー図を示す。プリンタードライバーは、アプリケーションプログラムから画像データを受け取り、プリンター１が解釈できる形式の記録データに変換し、記録データをプリンターに出力する。アプリケーションプログラムから画像データを記録データに変換する際に、プリンタードライバーは、解像度変換処理、色変換処理、ハーフトーン処理、ラスタライズ処理等を行う。以下に、画像データを用いて画像を記録するためにプリンタードライバーが行う各種の処理について説明する。
【００６２】
（Ｓ１０１：画像データの取得）
はじめに、プリンター１と接続されたコンピューター１１０にプリンタードライバーがインストールされる。そして、ユーザーがアプリケーションプログラム上から印刷を指示して印刷が開始されると、プリンタードライバーが呼び出され、プリンター１はアプリケーションプログラムから印刷対象となる画像データを取得する。
【００６３】
（Ｓ１０２：解像度変換処理）
解像度変換処理は、アプリケーションプログラムから出力された画像データ（テキストデータ、イメージデータなど）を、媒体に記録する際の解像度（記録解像度）に変換する処理である。例えば、記録解像度が７２０×７２０ｄｐｉに指定されている場合、アプリケーションプログラムから受け取ったベクター形式の画像データを７２０×７２０ｄｐｉの解像度のビットマップ形式の画像データに変換する。  
なお、解像度変換処理後の画像データの各画素データは、ＲＧＢ色空間により表される各階調（例えば２５６階調）のＲＧＢデータである。
【００６４】
（Ｓ１０３：色変換処理）
色変換処理は、ＲＧＢデータをＫＣＭＹ色空間のデータに変換する処理である。ＫＣＭＹ色空間の画像データは、プリンターが有するインクの色に対応したデータである。この色変換処理は、ＲＧＢデータの階調値とＫＣＭＹデータの階調値とを対応づけたテーブル（色変換ルックアップテーブルＬＵＴ）に基づいて行われる。  
なお、色変換処理後の画素データは、ＫＣＭＹ色空間により表される２５６階調の８ビットＣＭＹＫデータである。
【００６５】
（Ｓ１０４：ハーフトーン処理）
ハーフトーン処理は、高階調数のデータを、プリンターが形成可能な階調数のデータに変換する処理である。例えば、ハーフトーン処理により、２５６階調を示すデータが、２階調を示す１ビットデータや、４階調を示す２ビットデータに変換される。ハーフトーン処理では、ディザ法・γ補正・誤差拡散法などが利用される。ハーフトーン処理されたデータは、記録解像度（例えば７２０×７２０ｄｐｉ）と同等の解像度である。ハーフトーン処理後の画像データでは、画素ごと１ビット又は２ビットの画素データが対応しており、この画素データは各画素でのドット形成状況（ドットの有無、ドットの大きさ）を示すデータになる。
【００６６】
（Ｓ１０５：ラスタライズ処理）
ラスタライズ処理は、マトリクス状に並ぶ画素データを、プリンター１に転送すべきデータ順に、画素データごとに並び替える。例えば、各ノズル列のノズルの並び順に応じて、画素データを並び替える。  
その後、プリンタードライバーは、プリンター１を制御するための制御データを画素データに付加することによって印刷データを生成し、その印刷データをプリンター１に送信する。  
プリンター１は、受信した記録データに従って、記録動作を行う。具体的に、プリンター１のコントローラー６０は、受信した記録データの制御データに従って搬送ユニット１０を制御する。また、記録データの画素データに従ってヘッドユニット３０を制御してヘッド３１等に備えられた各ノズルから各種のインクを噴出させて媒体上にインクドットを形成し、照射ユニット４０からＵＶを照射させてインクドットを硬化させる。
【００６７】
＝＝＝クリアインク（ＣＬ）を用いたオーバーコート層の形成について＝＝＝
本実施形態では、カラーインクを用いて記録された画像の上にクリアインクを噴出することで、該画像の記録面上に透明なオーバーコート層を形成する（図６）。ここでは、オーバーコート層を形成するためのクリアインクの噴出方法について説明する。
【００６８】
＜カラーインクドットの大きさについて＞
まず、画像及びオーバーコート層と、カラーインクドットの大きさ（ドット径）との関係について説明する。
【００６９】
図８は、カラーインクドットによって形成される画像の断面の様子を概念的に表した図である。図で媒体上に形成されている複数の黒丸はカラーインクドット（ＫＣＭＹ）であり、このカラーインクドットの集まりによって画像が形成される。前述のハーフトーン処理後の画像データで各画素は、ＫＣＭＹの各色について［００］、［０１］、［１０］、［１１］の４種類（２ｂｉｔ）のデータ（階調値）で表される。つまり、各色について４種類の階調値に対応した４種類の大きさのドットによって画像が形成される。本実施形態においては、ある画素の画素データが［００］の時はドットが形成されず（ドット径がゼロのドットが形成されるものと考える）、［０１］の時は小ドットが形成され、［１０］の時は中ドットが形成され、［１１］の時は大ドットが形成される。
【００７０】
画素毎に形成されるインクドットの大きさの違いによって、媒体から画像表面までの高さの差も大きくなる。そして、隣り合う画素に形成される２つのインクドットの大きさが異なるほど、その画素間では高低差が生じる。例えば、図８で大ドットと小ドットとが隣り合って形成されている部分では画像表面に大きな段差が発生する。そして、画像表面全体は、図８の破線で示されるような凹凸を有する形状となる。なお、図８では説明の簡略化のため、１画素に対して１ドットが形成されているが、実際の印刷時には１画素に２以上（ＫＣＭＹのうち２色以上）のドットが形成されることもある。
【００７１】
ここで、カラーインクドットの大きさは、ピエゾ素子ＰＺＴに印加される駆動信号ＣＯＭ（電圧波形）の種類によって定められる。図９に駆動信号ＣＯＭの一例を示す。駆動信号ＣＯＭは図のように周期Ｔの間に変動する電位で表される波形であり、区間Ｔ１〜Ｔ３の間にそれぞれ駆動パルスＰＳ１〜ＰＳ３を有する。この駆動パルスから所定のパルスを選択して組み合わせることにより、実際にピエゾ素子ＰＺＴに印加する駆動信号が生成される。
【００７２】
インク噴出に際して、［００］〜［１１］の４階調で表される各画素のデータに応じて、波形選択信号生成部（不図示）で生成される波形選択信号により、ＰＳ１〜ＰＳ３の中から所定の駆動パルスが適宜選択される。そして、選択された駆動パルスが駆動信号としてピエゾ素子ＰＺＴに印加される。ピエゾ素子ＰＺＴは印加された駆動信号に応じて駆動することによりノズルから所定量のインクを噴出させて、各画素の画素データ（階調値）に対応する大きさ（量）のインクドットを形成する。
【００７３】
例えば図９の場合、ある画素の画素データが［００］であるときは駆動パルスＰＳ１〜ＰＳ３のいずれも選択されないため、ピエゾ素子ＰＺＴは駆動されない。したがって、インクは噴出されず、ドットも形成されない。また、ある画素の画素データが［０１］であるときは駆動パルスＰＳ２のみが選択され、ピエゾ素子ＰＺＴに印加される。ピエゾ素子ＰＺＴが駆動パルスＰＳ２により駆動されると、小ドットを形成する量のインクがノズルから噴出され、媒体上に小ドットが形成される。同様に、画素データが［１０］であれば駆動パルスＰＳ１及びＰＳ３が選択されて中ドットが形成され、画素データが［１１］であれば全ての駆動パルスが選択されて大ドットが形成される。  
このように印加する駆動信号の波形を変更することによって、画素毎に形成されるドットの大きさをコントロールする。
【００７４】
図１０は、図８の画像の上にクリアインクドットによって形成されるオーバーコート層の断面の様子を概念的に表した図である。図で媒体及び画像（カラーインクドット）の上に形成されている複数の白丸はクリアインクドット（ＣＬ）であり、このクリアインクドットの集まりによってオーバーコート層が形成される。
【００７５】
＜オーバーコート層の表面について＞
均一な光沢の画像を得るためには、オーバーコート層に入射する光を一様に反射させる必要があるため、オーバーコート層の表面がなるべく平滑であることが望ましい。しかし、オーバーコート層が形成される土台となる画像表面は、通常の場合、図８で説明したような凹凸を有している。このような凹凸面に対応するためには、ある画素におけるカラーインクドットの大きさに合わせて、当該画素に噴出するべきクリアインクドットの大きさが決定されればよい。
【００７６】
例えば、図１０の画像形成部（カラーインクドットが形成されている部分）においては、カラーの小ドットが形成されている画素にはクリアの大ドットが重ねて形成される。また、カラーの中ドットが形成されている画素にはクリアの中ドットが重ねて形成され、カラーの大ドットが形成されている画素にはクリアの小ドットが重ねて形成される。そして、非画像形成部（カラーインクドットが形成されていない部分）においては、１段目にクリアの大ドットを形成し、２段目にクリアの小ドットを重ねて形成する。
【００７７】
各画素で、カラーインクドットとクリアインクドットとの合計の高さ（媒体表面からの高さ）がなるべく揃うようにすることで、クリアインク層の表面を平滑にすることができる。これにより、平滑なオーバーコート層を形成し、均一な光沢を有する画像を印刷することができる。
【００７８】
しかし、図１０の例では非画像形成部において少なくとも２回のオーバーコート層形成動作を行う必要がある。つまり、カラーインクドットが形成されていない画素にはクリアインクドットを最低でも２回噴出させる必要があり、その分印刷時間が余計にかかる。
【００７９】
＜クリアインクドットの大きさについて＞
前述のような印刷時間の問題を解消するために、本実施形態ではカラーインクの大ドットよりもさらに大きなドット径を有するクリアインクドット（特大ドット）が形成される。図１１に、クリアの特大ドットが形成される場合のオーバーコート層の断面の様子を概念的に表した図を示す。非画像形成部（カラーインクドットが形成されていない部分）にクリアの特大ドットが形成されることにより、画像形成部だけではなく、非画像形成部も含む媒体全体に亘って表面が平滑なオーバーコート層を作ることができる。そして、図１１のように特大のクリアインクドットを形成することで、オーバーコート層の形成を２段階に分けず、１回で表面が平滑なオーバーコート層を形成することができるようになる。これによって、印刷時間を短縮しつつ、均一な光沢を有する画像を形成することができる。
【００８０】
図１１に示されるように、本実施形態においては４種類以上の大きさのクリアインクドットが形成される。どの画素に、どの大きさのクリアインクドットが形成されるかについては後で説明する。
【００８１】
クリアインクドットの大きさは、カラーインクドットの場合と同様に、ピエゾ素子ＰＺＴに印加される駆動信号ＣＯＭ（電圧波形）の種類によって定められる。本実施形態においては、後述するように、カラーインクドットのうち最もドット径が大きなドット（前述の例ではカラーの大ドット）よりもさらに大きなドット径を有するクリアインクドット（特大ドット）を形成する必要がある。したがって、クリアインクドットを形成するためにピエゾ素子ＰＺＴに印加する駆動信号ＣＯＭは、カラーインクドットを形成する場合のものとは異なる波形とする必要がある。
【００８２】
図１２に、クリアインク噴出に用いられる駆動信号ＣＯＭの一例を示す。クリアインク噴出に用いられる駆動信号ＣＯＭは、周期Ｔの区間Ｔ１〜Ｔ４の間にそれぞれ駆動パルスＰＳ´１〜ＰＳ´４を有する。この駆動パルスから所定のパルスを選択して組み合わせることにより、実際にピエゾ素子ＰＺＴに印加する駆動信号が生成される。
【００８３】
クリアインクドットを生成するためのデータも［００］〜［１１］の４階調（２ｂｉｔ）で表される。図１２の場合、ある画素の画素データが［００］であるときは駆動パルスＰＳ´２のみが選択され、ピエゾ素子ＰＺＴに印加される。ピエゾ素子ＰＺＴが駆動パルスＰＳ´２により駆動されると、小ドットを形成する量のクリアインクがノズルから噴出され、媒体上にクリアの小ドットが形成される。また、ある画素の画素データが［０１］であるときは駆動パルスＰＳ´２及びＰＳ´３が選択され、ピエゾ素子ＰＺＴに印加される。そして、ピエゾ素子ＰＺＴが駆動パルスＰＳ´２及びＰＳ´３により駆動されると、中ドットを形成する量のクリアインクがノズルから噴出され、媒体上にクリアの中ドットが形成される。同様に、画素データが［１０］であれば駆動パルスＰＳ´２〜ＰＳ´４が選択されてクリアの大ドットが形成され、画素データが［１１］であれば全ての駆動パルスが選択されてクリアの特大ドットが形成される。
【００８４】
なお、カラーの小ドットを形成するために印加されるＰＳ２（図９）と、クリアの小ドットを形成するために印加されるＰＳ´２（図１２）とで波形が同一でない場合は、形成されるカラーインクドットとクリアインクドットとの大きさも同一にはならない。但し、駆動信号ＣＯＭの各駆動パルス波形を調整することで、それぞれのドットサイズを調整することができる。
【００８５】
ところで、カラーインクドットとクリアインクドットの大・中・小のドット径がそれぞれ全く異なる場合は、各画素について合計の高さ（媒体表面からオーバーコート層表面までの高さ）を揃えることは難しい。したがって、クリアインクドットは４種類に限らず、なるべく多くの種類（大きさ）を形成できることが望ましい。カラーインクドット径の大きさの種類よりも、クリアインクドット径の大きさの種類を多くすることで、オーバーコート層の厚さについて、より詳細な調整が可能となるからである。これにより、全体の高さ（カラーインクドットとクリアインクドットとの合計の高さ）を均一にしやすくなる。
【００８６】
クリアインクドットの大きさは前述のように、印加する駆動信号の波形により調整される。そこで、異なる駆動パルスを含む数種類の駆動信号ＣＯＭを用意しておき、画像記録ジョブ毎に使用する駆動信号ＣＯＭを変更する（マルチショット）ことで、より多くのサイズを有するドットを形成することができるようになる。
【００８７】
＜クリアインクドットの噴出方法＞
オーバーコート層を形成するためのクリアインクの噴出方法について説明する。  
プリンター１を用いた実際の画像記録においては、ピエゾ素子ＰＺＴに印加する駆動信号の波形形状の種類が限られていることから、形成できるドットのサイズは限定される。また、カラーインクドット及びクリアインクドットが着弾予定の位置（画素）からずれて形成されてしまう場合もある。したがって、実際の記録時にカラーインクドットとクリアインクドットとの合計の高さを画素単位で均一に揃えることは難しい。そこで、本実施形態では、画素単位ではなく、所定の領域（以下、単位領域ともいう）についての平均高さを揃えるように、クリアインクを噴出する。
【００８８】
具体的には、（Ａ）所定数の画素によって構成される単位領域（例えば３×３画素分の領域）毎に噴出するべきクリアインクの総量を算出し、（Ｂ）算出されたクリアインク噴出総量を、単位領域を構成する画素毎に分配することによって、各画素についてのクリアインク噴出量を決定する。単一画素ではなく、数画素分の領域について考えることで、画像（媒体）全体に亘ってなるべく平滑なオーバーコート層を形成する。
【００８９】
（Ａ）クリアインク噴出量の算出
単位領域についてのカラーインクの噴出量（以後、カラーインク打ち込み量ともいう）と、その単位領域についてのクリアインクの噴出量（以後、クリアインク打ち込み量ともいう）との合計が一定となるように、クリアインク打ち込み量を算出する。
【００９０】
図１３は、クリアインクの噴出量を算出する方法を説明する図である。図１３の破線で区切られた１マス分の領域が１画素を表し、黒丸は小・中・大のカラーインクドットを表す。また、説明のため、小ドットを形成するインク量を１ｎｌ、中ドットを形成するインク量を２ｎｌ、大ドットを形成するインク量を３ｎｌであると仮定する。
【００９１】
ＣＰＵ６２は、算出対象とする単位領域を設定し、該単位領域を構成する全画素におけるカラーインクの打ち込み量の合計を算出する。図１３では単位領域を３×３の９画素と設定している。なお、単位領域を構成する画素数は３×３には限られず、５×５画素や１０×１０画素と設定しても良い。［００］〜［１１］で表される４階調の画素データに応じて各画素にはカラーインクの小ドット・中ドット・大ドットのいずれかが形成されるか、若しくはカラーインクドットが形成されない。図１３の場合、単位領域中に小ドットが３つ、中ドットが３つ、大ドットが１つ形成されているので、この単位領域におけるカラーインク打ち込み量は（１ｎｌ×３）＋（２ｎｌ×３）＋（３ｎｌ×１）＝１２ｎｌと算出される。
【００９２】
続いて、ＣＰＵ６２は、カラーインク打ち込み量とクリアインク打ち込み量との合計値が一定となるようにクリアインク打ち込み量を算出する。例えば、打ち込み量の合計が３６ｎｌであるとすると、この単位領域におけるクリアインクの打ち込み量は３６−１２＝２４ｎｌである。このようにして、単位領域毎にクリアインクの打ち込み量が決定される。
【００９３】
なお、図１３では１つの画素に対してドットが１つずつ形成されているが、実際の画像記録時には１画素に複数のドットが形成される場合もある。例えば、１画素にＣ（シアン）の小ドットとＹ（イエロー）の中ドットが形成される場合がある。このような場合でもインク打ち込み量の算出方法は前述の例と同様である。すなわち、ハーフトーン後の画像データから単位領域中に形成されるドットの大きさとドットの数量をカウントすることで、インク打ち込み量を算出することができる。
【００９４】
また、１画素に複数のカラードットが形成される場合、カラーインクの打ち込み量が高くなりすぎるおそれがある。例えば、単位領域の全画素（９画素）に大ドットが２つずつ、合計１８個の大ドットが形成されたとすると、カラーインクの打ち込み量だけで３ｎｌ×１８＝５４ｎｌとなり、クリアインクを打ち込む余地がなくなってしまう。そこで、単位領域当たりのインク打ち込み量（インクＤｕｔｙ）には上限値が設けられる。
【００９５】
図１３において、９画素全部にカラーインクの大ドットが１つずつ形成された場合、単位領域のインク打ち込み量は３ｎｌ×９＝２７ｎｌである。この場合のインクＤｕｔｙを１００％とする。ここで、打ち込み量の上限値が１２０％と設定されている場合、単位領域に打ち込まれるカラーインクの最大量は２７×１．２＝３２．４ｎｌとなる。したがって、３６−３２.４ｓ＝３．６ｎｌ分のクリアインクを打ち込むことができるようになる。
【００９６】
画像データ上で、上限値を超えるカラーインク打ち込み量が算出される場合、プリンタードライバーは該当領域の画素データを間引いたり、階調値を落としたりすることで、カラーインク噴出量を調整する。このようにカラーインクの打ち込み上限値が設けられているため、１画素に複数個のドットが形成されたとしても、単位領域全体ではカラーインクの打ち込み量が大きくなりすぎることはない。
【００９７】
（Ｂ）クリアインク噴出量の分配
単位領域におけるクリアインクの噴出量が算出されると、ＣＰＵ６２は、その噴出量を単位領域を構成する各画素に分配する。
【００９８】
図１４は、クリアインクの噴出量の分配方法を説明する図である。図１４の破線で区切られた１マスは、それぞれ図１３の各画素に対応し、白丸は小・中・大、特大のクリアインクドットを表す。また、クリアインクの小ドットを形成するインク量を１ｎｌ、中ドットを形成するインク量を２ｎｌ、大ドットを形成するインク量を３ｎｌ、特大ドットを形成するインク量を４ｎｌであると仮定する。
【００９９】
ＣＰＵ６２は、前述の例においてクリアインクの打ち込み量として算出された２４ｎｌを９画素分に分配する。その際、各画素におけるカラーインクドットとクリアインクドットとの合計噴出量がなるべく均一になるように分配する。分配の方法としては、カラーインクとクリアインクとの合計噴出量の画素毎のばらつきを小さくする方法や、誤差拡散法を利用することができる。
【０１００】
例えば、図１４において、カラーの小ドットが形成されている画素にはクリアの大ドットを形成し、カラーの中ドットが形成されている画素にはクリアの中ドットを形成し、カラーの大ドットが形成されている画素にはクリアの小ドットを形成し、カラードットが形成されていない画素にはクリアの特大ドットを形成するように分配する。このように分配することで、図１４のＢ−Ｂ断面に示されるように、媒体表面からクリアインクドットまでの高さが揃うようになり、平滑なオーバーコート層を形成することができる。
【０１０１】
＝＝＝第２実施形態＝＝＝
第２実施形態では画像記録装置として、ヘッドが固定されたタイプのプリンター（ラインプリンター）であるプリンター２を用いる。画像記録装置以外の画像形成方法やオーバーコート層形成方法、ドットの硬化方法等については第１実施形態で説明した方法と同様であり、画像を記録するために使用する装置のみが異なる。
【０１０２】
＜プリンター２の構成＞
図１５は、プリンター２の全体構造を示すブロック図である。プリンター２は、搬送ユニット１０、ヘッドユニット３０、照射ユニット４０、検出器群５０、及びコントローラー６０を有する。また、プリンター２は外部制御装置であるコンピューター１１０と通信可能に接続されている。コンピューター１１０は第１実施形態のものと同様である。
【０１０３】
＜搬送ユニット＞
図１６は、プリンター２の構成を概略的に表した側面図である。  
搬送ユニット１０は、媒体を所定の搬送方向に搬送させるためのものである。この搬送ユニット１０は、上流側搬送ローラー１６Ａ及び下流側搬送ローラー１６Ｂと、ベルト１７とを有する。不図示の搬送モータが回転すると、上流側搬送ローラー１６Ａ及び下流側搬送ローラー１６Ｂが回転し、ベルト１７が回転する。給紙ローラー（不図示）によって給紙された媒体は、ベルト１７によって印刷可能な領域（ヘッドと対向する領域）まで搬送される。印刷可能な領域を通過した紙Ｓはベルト１７によって外部へ排紙される。なお、搬送中の紙Ｓはベルト１７に静電吸着又はバキューム吸着されている。
【０１０４】
＜ヘッドユニット＞
ヘッドユニット３０は、媒体にＵＶインクを噴出するためのものである。使用されるＵＶインクは第１実施形態と同様である。ヘッドユニット３０は搬送中の媒体に対して各色インクを噴出することによってインクドットを形成し、媒体に画像を記録する。本実施形態のプリンター２はラインプリンターであり、ヘッドユニット３０の各ヘッドは媒体幅分のドットを一度に形成することができる。搬送方向の上流側から順に、ブラック（Ｋ）のＵＶインクを噴出するブラックインクヘッド、シアン（Ｃ）のＵＶインクを噴出するシアンインクヘッド、マゼンダ（Ｍ）のＵＶインクを噴出するマゼンダインクヘッド、及び、イエロー（Ｙ）のＵＶインクを噴出するイエローインクヘッドの各色インクを噴出するカラーインクヘッド３２が設けられている（図１６）。なお、カラーインクヘッドの配置はこの限りではなく、各色の順番が入れ替わっていても良い。  
カラーインクヘッド３２の搬送方向下流側にはクリア（ＣＬ）のＵＶインクを噴出するクリアインクヘッド３６が設けられている（図１６）。
【０１０５】
図１７は、プリンター２の各ヘッドの下面に設けられたノズルの配置を説明する図である。カラーインクヘッド３２及びクリアインクヘッド３６の各ヘッドは、千鳥状に配置された小型ヘッドをそれぞれ４つずつ有している。各小型ヘッドは媒体幅方向に整列した複数のノズルＮｚからなるノズル列を２列ずつ有する。各ノズル列は、媒体幅方向に１８０ｄｐｉの間隔で並ぶ＃１〜＃１８０の１８０個のノズルＮｚをそれぞれ備え、隣り合うノズル列同士ではノズルＮｚが媒体幅方向に３６０ｄｐｉずつズレた位置に並んでいる。そして、搬送方向に隣り合う小型ヘッド同士ではノズルが媒体幅方向に７２０ｄｐｉずつズレた位置に並んでいる。これにより、媒体幅方向に７２０ｄｐｉの間隔でインクドットを形成することができる。
【０１０６】
＜照射ユニット＞
照射ユニット４０は、仮硬化用照射部４１、仮本硬化用照射部４２、及び本硬化用照射部４３を備えている。それぞれの機能は第１実施形態と同様である。
【０１０７】
仮硬化用照射部４１は、ブラックインク用ヘッド３２、シアンインク用ヘッド３２、マゼンダインク用ヘッド３２、及び、クリアインクヘッド３６の搬送方向の下流側にそれぞれ設けられる（図１６）。仮硬化用照射部４１の媒体幅方向の長さは媒体幅以上である（図１７）。仮硬化用照射部４１は媒体上に形成されたＫＣＭの各インクドット及びＣＬインクドットを仮硬化させ、各ドットが流動するのを抑制する。
【０１０８】
仮本硬化用照射部４２は、イエローインク用ヘッド３１の搬送方向の下流側に設けられる（図１６）。仮本硬化用照射部４２の媒体幅方向の長さは媒体幅以上である（図１７）。仮本硬化用照射部４２は媒体上に形成されたＫＣＭＹの各インクドットを仮本硬化させ、クリアインクドットとの混色等を抑制する。
【０１０９】
本硬化用照射部４３は、媒体の搬送方向の最も下流側に位置する仮硬化用照射部４１のさらに下流側に設けられる（図１６）。本硬化用照射部４３の媒体幅方向の長さは媒体幅以上である（図１７）。本硬化用照射部４３は媒体搬送の最終段階においてカラーインクドット及びクリアインクドットを完全に固化させる。
【０１１０】
＜検出器群＞
検出器群５０には、ロータリー式エンコーダー（不図示）や、紙検出センサー（不図示）などが含まれる。ロータリー式エンコーダーは上流側搬送ローラー１６Ａや下流側搬送ローラー１６Ｂの回転量を検出する。ロータリー式エンコーダーの検出結果に基づいて媒体の搬送量を検出することができる。紙検出センサーは給紙中の媒体の先端の位置を検出する。
【０１１１】
＜コントローラー＞
コントローラー６０の構成及び機能は第１実施形態と同様である。
【０１１２】
＜印刷動作について＞
プリンター２がコンピューター１１０から印刷データを受信すると、コントローラー６０は、まず、搬送ユニット１０によって給紙ローラー（不図示）を回転させ、印刷すべき媒体をベルト１７上に送る。媒体はベルト１７上を一定速度で停まることなく搬送され、ヘッドユニット３０、照射ユニット４０の各ユニットの下を通過する。この間に、ヘッドユニット３０のカラーインクヘッド３２からカラーインクを断続的に噴出させることによって媒体上にカラーインクドットを形成する。そして、照射ユニット４０の仮硬化用照射部４１からＵＶを照射してドットを仮硬化させる。仮硬化のためのＵＶ照射量は、あらかじめ入力されたテーブルデータに従って、各ヘッドの液体噴出率に基づいて決められる。この動作をＫＣＭの各色について繰り返し、Ｙインクドットが形成された後に、仮本硬化用照射部４２からＵＶを照射してＫＣＭＹの各色カラーインクドットを仮本硬化させ、媒体上に画像を記録する。
【０１１３】
画像が記録された媒体はベルト１７により、さらに搬送方向下流側へと搬送され、クリアインクヘッド３６の下を通過する際に、クリアインクが噴出される。そして、照射ユニット４０の仮硬化用照射部４１からＵＶが照射され、クリアインクドットが仮硬化される。これにより、前述の画像の上にクリアインクドットによるオーバーコート層が形成される。
【０１１４】
画像及びオーバーコート層が形成された媒体は、搬送の最終段階で本硬化用照射部４３からＵＶを照射され、カラーインクドット及びクリアインクドットが完全に硬化される。最後にコントローラー６０は、画像の印刷が終了した媒体を排紙する。
【０１１５】
仮硬化、仮本硬化、本硬化については第１実施形態で説明した通りであり、照射ユニット４０の各照射部から照射されるＵＶの出力等についても、第１実施形態の場合と同様である。
【０１１６】
＝＝＝その他の実施形態＝＝＝
一実施形態としてのプリンター等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【０１１７】
＜記録装置について＞
前述の実施形態では、画像を形成する記録装置の一例としてインクジェットプリンターが説明されていたが、これに限られるものではない。例えば、カラーフィルタ製造装置、染色装置、微細加工装置、半導体製造装置、表面加工装置、三次元造型機、液体気化装置、有機ＥＬ製造装置（特に高分子ＥＬ製造装置）、ディスプレイ製造装置、成膜装置、ＤＮＡチップ製造装置などのインクジェット技術を応用した各種の液体噴出装置に、本実施形態と同様の技術を適用してもよい。
【０１１８】
＜使用するインクについて＞
前述の実施形態では、カラーインク（有色インク）としてＫＣＭＹの４色のインクを使用して画像を記録する例が説明されていたが、これに限られるものではない。例えば、ライトシアン、ライトマゼンタ、ホワイト等、ＫＣＭＹ以外のカラーインクを用いて画像の記録を行ってもよい。
【０１１９】
＜オーバーコート層の形成について＞
前述の実施形態では、ＫＣＭＹのカラーインクによって画像を形成した後に、クリアインクによってオーバーコート層を形成しているが、オーバーコート層は必ずしも形成されなくてもよい。例えば、カラーインクのみによる画像の記録を行ってもよいし、クリアインクのみによる記録を行うことも可能である。
【０１２０】
＜ピエゾ素子について＞
前述の実施形態では、液体を噴出させるための動作を行う素子としてピエゾ素子ＰＺＴを例示したが、他の素子であってもよい。例えば、発熱素子や静電アクチュエーターを用いてもよい。
【０１２１】
＜プリンタードライバーについて＞
プリンタードライバーの処理はプリンター側で行ってもよい。その場合、プリンターとドライバーをインストールしたＰＣとで記録装置が構成される。
【符号の説明】
【０１２２】
１  プリンター、２  ラインプリンター
１０  搬送ユニット、１１  給紙ローラー、１２  搬送モーター、
１３  搬送ローラー、１４  プラテン、１５  排紙ローラー、
１６Ａ  上流側搬送ローラー、１６Ｂ  下流側搬送ローラー、１７  ベルト
２０  キャリッジユニット、２１  カラーインクヘッド用キャリッジ、
２２  キャリッジモーター、２５  クリアインクヘッド用キャリッジ、
２６  キャリッジモーター、３０  ヘッドユニット、
３１  カラーインクヘッド、３１１  ケース、３１２  流路ユニット、
３１２ａ  流路形成板、３１２ｂ  弾性板、３１２ｃ  ノズルプレート、
３１２ｄ  圧力室、３１２e  ノズル連通口、３１２ｆ  共通インク室、
３１２ｇ  インク供給路、３１２ｈ  アイランド部、３１２ｉ  弾性膜、
３２  カラーインクヘッド、３５  クリアインクヘッド、
３６  クリアインクヘッド、４０  照射ユニット、
４１  仮硬化用照射部、４２  仮本硬化用照射部、
４３  本硬化用照射部、５０  検出器群、５１  リニア式エンコーダ、
５２  ロータリー式エンコーダ、５３  紙検出センサ、５４  光学センサ、
６０  コントローラー、６１  インターフェイス部、６２  ＣＰＵ、
６３  メモリー、６４  ユニット制御回路、１１０  コンピューター
【図１】
0005720151.tif 000002
【図２】
0005720151.tif 000003
【図３】
0005720151.tif 000004
【図４】
0005720151.tif 000005
【図５】
0005720151.tif 000006
【図６】
0005720151.tif 000007
【図７】
0005720151.tif 000008
【図９】
0005720151.tif 000009
【図１２】
0005720151.tif 000010
【図１５】
0005720151.tif 000011
【図１６】
0005720151.tif 000012
【図１７】
0005720151.tif 000013
【図８】
0005720151.tif 000014
【図１０】
0005720151.tif 000015
【図１１】
0005720151.tif 000016
【図１３】
0005720151.tif 000017
【図１４】
0005720151.tif 000018